(57)【特許請求の範囲】
【請求項１】
棒状で同一軸線上に配され、軸線方向に移動可能で、かつ互いに離反する方向にバネによって賦勢された一対のリリーフ弁ポペットと、両端が開放された筒状で上記リリーフ弁ポペットの外方の同一軸線上に配され、軸線方向に移動可能で、かつ上記リリーフ弁ポペットに向けバネによって賦勢され、上記リリーフ弁ポペットに接触した時、内方端が上記リリーフ弁ポペットによって閉じられる一対のチェック弁ポペットとを具え、上記リリーフ弁ポペットと上記チェック弁ポペットとが接触する２つの位置の周囲が互いに連通し、かつ蓄圧室に連通するとともに、上記一対のチェック弁ポペットの外方端が圧力容器内を滑動するピストンで区切られた２つの圧力室にそれぞれ連通していることを特徴とするリリーフ・チェック弁装置。
【発明の詳細な説明】
【０００１】
【発明の属する技術分野】
本発明は、一般の産業用油圧機器等に使用される両方向のリリーフ弁とチェック弁を一体化した弁装置に関する。
【０００２】
【従来の技術】
図４は両方向のリリーフ弁とチェック弁を用いた従来の油圧回路の一例を示す図である。この図において、（１）は圧力容器、（２）は同圧力容器（１）内を２つの圧力室（１Ａ）、（１Ｂ）に区切って滑動するピストン、（３）は蓄圧室、（４）はポペット（４ａ）を有する両方向のリリーフ弁、（５）はボール（５ａ）、（５ｂ）を有する両方向のチェック弁である。
【０００３】
例えば圧力室（１Ａ）内の圧力が上昇すると、リリーフ弁（４）のポペット（４ａ）が図の左方に移動し、弁が開いて流れＦ１が生じる。これによって圧力室（１Ａ）内の異常昇圧が防止される。
【０００４】
また圧力室（１Ａ）内の圧力が蓄圧室（３）内の圧力よりも低下すると、チェック弁（５）のボール（５ａ）が図の右方に移動し、弁が開いて流れＦ２が生じる。これによって圧力室（１Ａ）内の異常減圧が防止される。
【０００５】
なお図４において蓄圧室（３）とリリーフ弁（４）を結んでいる管路は、リリーフ弁のバネ室内に低加圧された作動油を供給するために設けられている。
【０００６】
【発明が解決しようとする課題】
前記従来の油圧回路においては、両方向のチェック弁と両方向のリリーフ弁が必要であり、またそれらを結ぶ油道の数も多くて、構造が複雑であった。
【０００７】
【課題を解決するための手段】
本発明者は、前記従来の課題を解決するために、棒状で同一軸線上に配され、軸線方向に移動可能で、かつ互いに離反する方向にバネによって賦勢された一対のリリーフ弁ポペットと、両端が開放された筒状で上記リリーフ弁ポペットの外方の同一軸線上に配され、軸線方向に移動可能で、かつ上記リリーフ弁ポペットに向けバネによって賦勢され、上記リリーフ弁ポペットに接触した時、内方端が上記リリーフ弁ポペットによって閉じられる一対のチェック弁ポペットとを具え、上記リリーフ弁ポペットと上記チェック弁ポペットとが接触する２つの位置の周囲が互いに連通し、かつ蓄圧室に連通するとともに、上記一対のチェック弁ポペットの外方端が圧力容器内を滑動するピストンで区切られた２つの圧力室にそれぞれ連通していることを特徴とするリリーフ・チェック弁装置を提案するものである。
【０００８】
本発明は上記構成を有するので、一方の圧力室の内圧が上昇していくと、ある一定の圧力に達した時、一方の側のリリーフ弁ポペットが移動し、一方のチェック弁ポペットとの間のシート面が開口する。次に他方のチェック弁ポペットも移動して他方のリリーフ弁ポペットとの間のシート面が開口する。こうして一方の圧力室から他方の圧力室に向かう流れ（主流）を生じる。逆方向も同様である。
【０００９】
また、圧力室の内圧がある一定の圧力まで低下してきた時、チェック弁ポペットが移動することによって、リリーフ弁ポペットとの間のシート面が開口し、蓄圧室から圧力室へ向かう流（補給流）を生じる。圧力室から蓄圧室への流れは、チェック弁ポペットがリリーフ弁ポペットによって動きを拘束されるので、遮断される。
【００１０】
【発明の実施の形態】
図１は本発明の実施の一形態に係る油圧回路を示す図である。図中（６）はボディーであって、このボディー（６）の中に一対のリリーフ弁ポペット（７Ａ）、（７Ｂ）と同じく一対のチェック弁ポペット（８Ａ）、（８Ｂ）が同一軸線上に収められている。
【００１１】
上記リリーフ弁ポペット（７Ａ）、（７Ｂ）は、棒状で軸線方向に移動可能であり、かつ互いに離反する方向（外方向）にバネ（９）によって賦勢されている。また上記チェック弁ポペット（８Ａ）、（８Ｂ）は、両端が開放された筒状で上記リリーフ弁ポペット（７Ａ）、（７Ｂ）の外方に配され、軸線方向に移動可能であり、かつ上記リリーフ弁ポペットに向け（内方に向け）バネ（１０Ａ）、（１０Ｂ）によって賦勢されている。そして内方端がリリーフ弁ポペット（７Ａ）、（７Ｂ）に接触した時、閉じられるようになっている。
【００１２】
上記リリーフ弁ポペット（７Ａ）、（７Ｂ）とチェック弁ポペット（８Ａ）、（８Ｂ）とが接触する２つの位置の周囲（１１Ａ）、（１１Ｂ）は互いに連通しており、また蓄圧室（３）にも連通している。更に上記一対のチェック弁ポペット（８Ａ）、（８Ｂ）の外方端は圧力容器（１）内を滑動するピストン（２）で区切られた２つの圧力室（１Ａ）、（１Ｂ）にそれぞれ連通している。
【００１３】
ピストン（２）で区切られた圧力室の一方、例えば圧力室（１Ａ）の圧力が上昇すると、図２に示されるように、リリーフ弁ポペット（７Ａ）がバネ（９）の力に抗して図の左方へ動いてチェック弁ポペット（８Ａ）との間が開き、更にチェック弁ポペット（８Ｂ）がバネ（１０Ｂ）の力に抗して図の左方へ移動してリリーフ弁ポペット（７Ｂ）との間が開くので、作動油は図中破線矢印のように圧力室（１Ａ）から圧力室（１Ｂ）へと流れる。圧力室（１Ａ）の圧力上昇が止まると、リリーフ弁ポペット（７Ａ）がバネ（９）の力により図の右方へ移動してチェック弁ポペット（８Ａ）との間を閉じ、またチェック弁ポペット（８Ｂ）がバネ（１０Ｂ）の力により図の右方へ動いてリリーフ弁ポペット（７Ｂ）との間を閉じるので、破線矢印の流れはせき止められる。こうして圧力室（１Ａ）内圧力の異常上昇が防止される。圧力室（１Ｂ）については上記と逆になる。
【００１４】
圧力室（１Ａ）の圧力が低下して、蓄圧室（３）の圧力よりも低くなると、図３に示されるように、チェック弁ポペット（８Ａ）がバネ（１０Ａ）の力に抗して図Ａの右方へ移動し、リリーフ弁ポペット（７Ａ）との間が開くので、図中に破線矢印で示されるように、蓄圧室（３）内の作動油が圧力室（１Ａ）に向かって流れる。圧力室（１Ａ）の圧力が回復すると、チェック弁ポペット（８Ａ）がバネ（１０Ａ）の力によって図の左方へ動き、リリーフ弁ポペット（７Ａ）との間を閉じるので、破線矢印の流れは止まる。こうして圧力室（１Ａ）の圧力が異常に低下するのを防ぐことができる。圧力室（１Ｂ）についても同様である。
【００１５】
本実施形態によれば、従来のリリーフ弁、チェック弁の機能を１個の弁装置が持つことになるので、部品点数や油路の数を減らすことができ、重量やコストが低減して、かつ信頼性が向上する。
【００１６】
【発明の効果】
本発明によれば、従来のリリーフ弁とチェック弁が一体化されて全体がコンパクトになるので、部品点数や総重量が低減し、したがって低コスト、高信頼性が達成される。
【図面の簡単な説明】
【図１】図１は本発明の実施の一形態に係る油圧回路を示す図である。
【図２】図２は上記実施形態の一機能を説明する図である。
【図３】図３は上記実施形態の他の機能を説明する図である。
【図４】図４は両方向のリリーフ弁とチェック弁を用いた従来の油圧回路の一例を示す図である。
【符号の説明】
（１）              圧力容器
（１Ａ）、（１Ｂ）  圧力室
（２）              ピストン
（３）              蓄圧室
（４）              リリーフ弁
（４ａ）            ポペット
（５）              チェック弁
（５ａ）、（５ｂ）  ボール
（６）              ボディー
（７Ａ）、（７Ｂ）  リリーフ弁ポペット
（８Ａ）、（８Ｂ）  チェック弁ポペット
（９）              バネ
（10Ａ）、（10Ｂ）  バネ
【図１】
0003735143.tif 000002
【図２】
0003735143.tif 000003
【図３】
0003735143.tif 000004
【図４】
0003735143.tif 000005